【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
密封された容量可変の貯留部に液体が貯留されたメインタンクと、
前記メインタンクから液体が補給される容量可変の液室を有するサブタンクと、
前記サブタンクから供給される液体の吐出が可能なヘッドと、
前記ヘッド及び前記サブタンクが搭載されたキャリッジと、
前記キャリッジの移動により前記液室を拡張させて前記メインタンクから液体を補給する液体補給動作を可能とする拡張機構と、を有する液体供給装置であって、
前記メインタンクの液体残量若しくは液体使用量を検出する液体量検出部と、
前記メインタンクの液体残量が少ない時、前記液体残量が十分な時よりも液体補給動作のための前記キャリッジの停止時間を長くする制御を行う制御部と、
を備えていることを特徴とする液体供給装置。
【請求項２】
請求項１に記載の液体供給装置において、
前記制御部は、前記液体量検出部により検出された前記液体残量が、所定量よりも多い、または、同じ量であった場合に、前記液体残量が十分と判定し、前記液体残量が前記所定量よりも少ない場合に、前記液体残量が少ないと判定すること特徴とする液体供給装置。
【請求項３】
請求項１又は２に記載の液体供給装置において、
前記制御部は、前記液体残量が前記所定値よりも少なかった場合、前記液体補給動作のための前記キャリッジの移動速度を遅くする制御を行うことを特徴とする液体供給装置。
【請求項４】
請求項１又は２に記載の液体供給装置において、
前記制御部は、前記液体量検出部が前記液体使用量を検出する場合、前記メインタンクの液体が前記所定量となる所定使用量以上に使用されたときを前記液体残量が少ないと判定することを特徴とする液体供給装置。
【請求項５】
請求項３又は４に記載の液体供給装置において、
前記液体量検出部は、前記ヘッドからの液体の吐出量から前記メインタンクの前記液体残量若しくは前記液体使用量を求め、
前記制御部は、前記メインタンクの前記液体残量と前記所定値若しくは前記液体使用量と前記所定使用値を比較することを特徴とする液体供給装置。
【請求項６】
搬送される媒体に対してヘッドからインクを吐出して印刷処理を行う印刷装置であって、
前記ヘッドへインクを供給する装置として、請求項１から５のいずれか一項に記載の液体供給装置を備えていることを特徴とする印刷装置。
【請求項７】
密封された容量可変の貯留部に液体が貯留されたメインタンクと、前記メインタンクから液体が補給される容量可変の液室を有するサブタンクと、前記サブタンクから供給される液体の吐出が可能なヘッドと、前記ヘッド及び前記サブタンクが搭載されたキャリッジと、前記キャリッジの移動により前記液室を拡張させて前記メインタンクから液体を補給する液体補給動作を可能とする拡張機構と、を有する液体供給装置の制御方法であって、
前記メインタンクの液体残量若しくは液体使用量を検出する液体量検出工程と、
前記メインタンクの液体残量が少ない時、前記液体残量が十分な時よりも液体補給動作のための前記キャリッジの停止時間を長くする制御を行う制御工程と、を含むことを特徴とする液体供給装置の制御方法。
【請求項８】
請求項７に記載の液体供給装置の制御方法において、
前記制御工程は、前記液体量検出工程により検出された前記液体残量が、所定量よりも多い、または、同じ量であった場合に、前記液対残量が十分と判定し、前記液体残量が前記所定量よりも少ない場合に、前記液体残量が少ないと判定すること特徴とする液体供給装置の制御方法。
【請求項９】
請求項７に記載の液体供給装置の制御方法において、
前記制御工程は、前記液体残量が前記所定値よりも少なかった場合、前記液体補給動作のための前記キャリッジの移動速度を遅くする制御を行うことを特徴とする液体供給装置の制御方法。
【請求項１０】
請求項７に記載の液体供給装置の制御方法において、
前記制御工程は、前記液体量検出工程にて前記液体使用量を検出する場合、前記メインタンクの液体が前記所定量となる所定使用量以上に使用されたときを前記液体残量が少ないと判定することを特徴とする液体供給装置の制御方法。
【請求項１１】
請求項７に記載の液体供給装置の制御方法において、
前記制御工程は、前記液体量検出工程にて前記ヘッドからの液体の吐出量から前記メインタンクの前記液体残量若しくは前記液体使用量を求め、前記液体残量と前記所定値若しくは前記液体使用量と前記所定使用値を比較することを特徴とする液体供給装置の制御方法。
【手続補正２】
【補正対象書類名】明細書
【補正対象項目名】０００７
【補正方法】変更
【補正の内容】
【０００７】
［適用例１］本適用例に記載の液体供給装置は、密封された容量可変の貯留部に液体が貯留されたメインタンクと、前記メインタンクから液体が補給される容量可変の液室を有するサブタンクと、前記サブタンクから供給される液体の吐出が可能なヘッドと、前記ヘッド及び前記サブタンクが搭載されたキャリッジと、前記キャリッジの移動により前記液室を拡張させて前記メインタンクから液体を補給する液体補給動作を可能とする拡張機構と、を有する液体供給装置であって、前記メインタンクの液体残量若しくは液体使用量を検出する液体量検出部と、前記メインタンクの液体残量が少ない時、前記液体残量が十分な時よりも液体補給動作のための前記キャリッジの停止時間を長くする制御を行う制御部と、を備えていることを特徴とする。
【手続補正３】
【補正対象書類名】明細書
【補正対象項目名】０００８
【補正方法】変更
【補正の内容】
【０００８】
この構成の液体供給装置によれば、メインタンクは密封された容量可変の貯留部に液体が貯留されたものであるため、メインタンクの液体の残量が減少することでメインタンクの負圧が大きくなり、液体補給動作に要する負荷及び時間は増加する。メインタンクが残量少の場合、残量十分の場合よりも液体補給動作のための前記キャリッジの停止時間を長くするので、液体残量が少ない状態であってもメインタンクからサブタンクへ確実に液体を補給させることができる。しかも、メインタンクの液体残量十分の場合での液体補給動作の時間を短くすることができ、また、液体補給動作の速度を速くすることができる。
つまり、スループットの効率を大幅に高めつつサブタンクへの液体の補給を確実に行うことができ、しかも、簡易な構造で小型化及び低コスト化を図ることができる。
【手続補正４】
【補正対象書類名】明細書
【補正対象項目名】０００９
【補正方法】変更
【補正の内容】
【０００９】
［適用例２］上記適用例に記載の液体供給装置において、前記制御部は、前記液体量検出部により検出された前記液体残量が、所定量よりも多い、または、同じ量であった場合に、前記液体残量が十分と判定し、前記液体残量が前記所定量よりも少ない場合に、前記液体残量が少ないと判定することを特徴とする。
【手続補正５】
【補正対象書類名】明細書
【補正対象項目名】００１０
【補正方法】変更
【補正の内容】
【００１０】
［適用例３］上記適用例に記載の液体供給装置において、前記制御部は、前記液体残量が前記所定値よりも少なかった場合、前記液体補給動作のための前記キャリッジの移動速度を遅くする制御を行うことを特徴とする。
この構成の液体供給装置によれば、液体残量が少ない状態であってもメインタンクからサブタンクへ確実に液体を補給させることができる。
【手続補正６】
【補正対象書類名】明細書
【補正対象項目名】００１１
【補正方法】変更
【補正の内容】
【００１１】
［適用例４］上記適用例に記載の液体供給装置において、前記制御部は、前記液体量検出部が前記液体使用量を検出する場合、前記メインタンクの液体が前記所定量となる所定使用量以上に使用されたときを前記液体残量が少ないと判定することを特徴とする。
この構成の液体供給装置によれば、液体残量を液体使用量から換算することができる。
【手続補正７】
【補正対象書類名】明細書
【補正対象項目名】００１２
【補正方法】変更
【補正の内容】
【００１２】
［適用例５］上記適用例に記載の液体供給装置において、前記液体量検出部は、前記ヘッドからの液体の吐出量から前記メインタンクの液体残量若しくは液体使用量を求め、前記判定部は、求めた前記メインタンクの液体残量と所定値若しくは液体使用量と所定使用値とを比較することを特徴とする。
この構成の液体供給装置によれば、ヘッドからの液体の吐出量からメインタンクの液体残量若しくは液体使用量を算出し、所定値若しくは所定使用値との比較を円滑に行うことができる。
【手続補正８】
【補正対象書類名】明細書
【補正対象項目名】００１３
【補正方法】変更
【補正の内容】
【００１３】
［適用例６］上記適用例に記載の液体供給装置において、本適用例に記載の印刷装置は、搬送される媒体に対してヘッドからインクを吐出して印刷処理を行う印刷装置であって、前記ヘッドへインクを供給する装置として、上記適用例に記載のいずれかの液体供給装置を備えていることを特徴とする。
【手続補正９】
【補正対象書類名】明細書
【補正対象項目名】００１４
【補正方法】変更
【補正の内容】
【００１４】
［適用例７］本適用例に記載の液体供給装置の制御方法は、密封された容量可変の貯留部に液体が貯留されたメインタンクと、前記メインタンクから液体が補給される容量可変の液室を有するサブタンクと、前記サブタンクから供給される液体の吐出が可能なヘッドと、前記ヘッド及び前記サブタンクが搭載されたキャリッジと、前記キャリッジの移動により前記液室を拡張させて前記メインタンクから液体を補給する拡張機構と、を有する液体供給装置の制御方法であって、前記メインタンクの液体残量若しくは液体使用量を検出する液体量検出工程と、前記メインタンクの液体残量が少ない時、前記液体残量が十分な時よりも液体補給動作のための前記キャリッジの停止時間を長くする制御を行う制御工程と、を含むことを特徴とする。
【手続補正１０】
【補正対象書類名】明細書
【補正対象項目名】００１５
【補正方法】変更
【補正の内容】
【００１５】
この液体供給装置の制御方法によれば、メインタンクの液体残量が所定値未満となりメインタンクの負圧が大きくなる場合に、前記液体残量が前記所定値以上の場合に比べて液体補給動作のための前記キャリッジの停止時間を長くするので、液体残量が少ない状態のメインタンクからサブタンクへ確実に液体を補給させることができる。
【手続補正１１】
【補正対象書類名】明細書
【補正対象項目名】００１６
【補正方法】変更
【補正の内容】
【００１６】
［適用例８］上記適用例に記載の液体供給装置の制御方法において、前記制御工程は、前記液体量検出工程により検出された前記液体残量が、所定量よりも多い、または、同じ量であった場合に、前記液対残量が十分と判定し、前記液体残量が前記所定量よりも少ない場合に、前記液体残量が少ないと判定すること特徴とする。
【手続補正１２】
【補正対象書類名】明細書
【補正対象項目名】００１７
【補正方法】変更
【補正の内容】
【００１７】
［適用例９］上記適用例に記載の液体供給装置の制御方法において、前記制御工程は、前記液体残量が前記所定値よりも少なかった場合、前記液体補給動作のための前記キャリッジの移動速度を遅くする制御を行うことを特徴とする。
この液体供給装置の制御方法によれば、液体残量が少ない状態であってもメインタンクからサブタンクへ確実に液体を補給させることができる。
【手続補正１３】
【補正対象書類名】明細書
【補正対象項目名】００１８
【補正方法】変更
【補正の内容】
【００１８】
［適用例１０］上記適用例に記載の液体供給装置の制御方法において、前記制御工程は、前記液体量検出工程にて前記液体使用量を検出する場合、前記メインタンクの液体が前記所定量となる所定使用量以上に使用されたときを前記液体残量が少ないと判定することを特徴とする。
【手続補正１４】
【補正対象書類名】明細書
【補正対象項目名】００１９
【補正方法】変更
【補正の内容】
【００１９】
［適用例１１］上記適用例に記載の液体供給装置の制御方法において、前記制御工程は、前記液体量検出工程にて前記ヘッドからの液体の吐出量から前記メインタンクの前記液体残量若しくは前記液体使用量を求め、前記液体残量と前記所定値若しくは前記液体使用量と前記所定使用値を比較することを特徴とする。
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】